(57)【要約】      （修正有）【課題】キーボード等を操作をしている間に、別の筆記具に持ち替えることなく、タブレット操作やメモ等の操作を行い、すぐにキーの入力操作をすることのできるスティック型入力装置を提供する。【解決手段】スティック型入力装置１は、指の接触を受けてデータ入力を受ける入力部２０が設けられている軸部２と、軸部上に設けられた複数の入力キー２１Ｂ、２１Ｃ、２１Ｄ、２１Ｅと、軸部２の一端２ａに設けられた筆記具３と、軸部の他端に設けられた入力キー２１Ａと、を有する。【選択図】図５
2017151615.tif 000002
【特許請求の範囲】
【請求項１】
指の接触を受けてデータ入力を受ける入力部が設けられている軸部と、
前記軸部の一端に設けられた筆記具とを有していることを特徴とするスティック型入力装置。
【請求項２】
請求項１において、
前記入力部は、前記軸部の前記一端近傍、前記軸部の中間及び他端に指が接触する入力キーが配置されていることを特徴とするスティック型入力装置。
【請求項３】
請求項２において、
前記入力キーは、前記軸部の中間全体に多数の指感知センサが設けられていることを特徴とするスティック型入力装置。
【請求項４】
請求項３において、
前記軸部の中間の前記入力キーは、親指を除く４本の指に対応したスイッチを有していることを特徴とするスティック型入力装置。
【請求項５】
請求項１乃至４のいずれか一項において、
前記筆記具は、１乃至複数本からなり、使用時及び不使用時に対応して前記軸部に出没可能に設けられていることを特徴とするスティック型入力装置。
【請求項６】
請求項１乃至５のいずれか一項において、
前記軸部の前記一端近傍位置が指で握られたことを前記入力部が検知した場合には、筆記モードとして機能し、
前記軸部の中間位置が掌の指の付根付近で握られたことを前記入力部が検知した場合には、入力モードとして機能することを特徴とするスティック型入力装置。
【請求項７】
請求項１乃至６のいずれか一項において、
前記軸部の前記入力部は、
前記指の接触によって与えられる圧力が所定閾値以上であるとき、データ入力を許容することを特徴とするスティック型入力装置。
【請求項８】
請求項７において、
前記入力部は、前記所定閾値が、指毎にそれぞれ定められるか、指全体について一定値に予め定められることを特徴とするスティック型入力装置。
【発明の詳細な説明】
【技術分野】
【０００１】
この発明は、軸の一端に筆記具を有して、なお且つ、軸にデータ入力可能な入力部を有するスティック型入力装置に関するものである。
【背景技術】
【０００２】
従来から、入力のし易さを重視した携帯用装置として、人間工学的に適合された方法で配置されたキーを有するポケット計算機（特許文献１参照）や、手のひらに握り込める程度の筒型キーボード（特許文献２参照）が開示されている。
【０００３】
また従来から、手で持ちながら入力可能となるコンピュータの入力装置が開示されている（特許文献３、４参照）。特許文献３には、擬似的に５本の指にそれぞれ１個のボタンが対応して配置されているような構成の入力装置が開示されている。特許文献４には、左右対となっているキーボードタイプの入力装置が開示されている。
【先行技術文献】
【特許文献】
【０００４】
【特許文献１】特開昭５９−９８２６４号公報
【特許文献２】特開２０００−２３１４３５号公報
【特許文献３】特開２００５−１２８８２６号公報
【特許文献４】特開２００５−１２８８２７号公報
【発明の概要】
【発明が解決しようとする課題】
【０００５】
最近、スマートフォン、携帯電話、タブレット型ＰＣ(Personal Computer)、又はＰＤＡ（Personal Digital Assistant）等の携帯型端末を操作している間でも筆記具で携帯端末を操作したりあるいはメモを取ったりしたいという要望がある。具体的には、タブレット型ＰＣを操作しているときに、スタイラスペン等の別の筆記具を用いてタブレット操作したり、あるいは、ボールペン等の別の筆記具でメモを取ったりしたい等のユーザーからの要望がある。このような要望に対して、ユーザーフレンドリーの観点から応えることのできる入力装置の開発が望まれている。
【０００６】
しかしながら、上記特許文献１〜４に開示された各装置は、キーボードの操作中にスタイラスペンを用いてタブレット操作したり、あるいは、ボールペン等でメモを取ったりするには、近くにある筆記具を取り寄せてタブレット操作やメモをし、その後キーボード操作をしなければならないという問題があった。
【０００７】
この発明の目的は、キーボード等の入力装置を操作している間に、別の筆記具に持ち替えることなくタブレット操作やメモ等をし、すぐにキーの入力操作をすることのできるスティック型入力装置を提供することにある。
【課題を解決するための手段】
【０００８】
上記目的を達成するため、本発明に係るスティック型入力装置は、指の接触を受けてデータ入力を受ける入力部が設けられている軸部と、前記軸部の一端に設けられた筆記具とを有していることを特徴としている。
【発明の効果】
【０００９】
本発明に係るスティック型入力装置によれば、軸部にデータ入力を受ける入力部を有し、軸部の一端には筆記具が設けられるので、キーボード等の入力装置としての機能と、筆記具としての機能とを組み合わせることができる。これにより、スティック型入力装置のユーザーはキーボード等の入力装置を操作している間に、別の筆記具に持ち替えることなくタブレット操作やメモ等の操作することができる。
【図面の簡単な説明】
【００１０】
【図１】本実施形態に係るスティック型入力装置の正面図である。
【図２】本実施形態に係るスティック型入力装置の右側面図である。
【図３】スティック型入力装置とタブレット型ＰＣとを接続した状態を示す斜視図である。
【図４】入力部の構成を示すブロック図である。
【図５】ユーザーの右手により軸部の一端近傍位置が指で握られた筆記モードの状態を示す斜視図である。
【図６】ユーザーの右手により軸部の中間位置が掌の指の付根付近で握られた入力モードの状態を示す斜視図である。
【図７】母音を各入力キーに割り当てた例を示す図である。
【図８】子音を各入力キーに割り当てた例を示す図である。
【図９】「。」及び「、」の入力操作を説明する図である。
【図１０】左手指によりタブレット型ＰＣに対して入力操作を行う例を示す表面図である。
【図１１】左手指によりタブレット型ＰＣに対して入力操作を行う例を示す裏面図である。
【図１２】子音を各入力キーに割り当てた例を示す図である。
【発明を実施するための形態】
【００１１】
以下、本発明の実施の形態を示す図面を参照して本発明を説明する。
【００１２】
図１は、スティック型入力装置１の正面図である。図２は、スティック型入力装置１の右側面図である。
【００１３】
[スティック型入力装置１の全体構成について]
この実施形態では、スティック型入力装置１として、所謂、３芯式のボールペン形式のスティック型入力装置を用いる場合を例に挙げて説明する。図１及び図２に示すように、スティック型入力装置１は、筒形を呈した軸部２と、軸部２に設けられた入力部２０と、軸部２の一端２ａに設けられた筆記具３とを有している。ここで、筆記具３は、スタイラスペン、ボールペン、シャープペンシル、万年筆、毛筆及びマーカー等である。この実施例での筆記具３はボールペンであり、３本の異なる色のものを出没可能に内蔵している。入力部２０は、軸部２の全体に多数の指感知センサ（図示省略）が配置されているか、図１他に示すように、軸部２の一端近傍２ｃ、軸部２の中間２ｄ及び他端２ｂに指を接触させる入力キー２１が配置されている。
【００１４】
この実施例での入力部２０は、軸部２の外周部に指に対応した位置に、軸部２の一端近傍２ｃ及び中間２ｄの全体に図示省略の多数の指感知センサが設けられたフィルムが貼り付けられていてもよい。これにより、入力部２０は、軸部２の他端２ｂを除く位置が親指を除く４本の指で例えば図６に示すように握られたならば、一端２ａ側が小指で他端２ｂに向かって薬指、中指、人差し指として、データ入力を受けることが可能になる。勿論、例えば、軸部２の一端近傍２ｃ及び中間２ｄが親指を含む５本の指で握られたならば、一端２ａ側が小指で他端２ｂに向かって薬指、中指、人差し指、親指として、データ入力を受けることも可能である。
【００１５】
一方、親指を除く４本の指に対応した位置に入力キー２１を配しても良い。この考えを具体化したものが、図１以下図２、５、６に示すように、軸部２の中間２ｄの入力キー２１は、親指を除く４本の指に対応した位置にスイッチを有していてもよい。これにより、例えば、軸部２の他端２ｂに親指を接触させるとともに、親指を除く４本の指で軸部２の中間２ｄが握られている状態では、入力キー２１のスイッチにおいて一端２ａから他端２ｂに向かって順に４本の指それぞれの入力位置として設けられる。一端２ａに最も近い入力位置では小指からのデータ入力がなされ、当該入力位置から他端２ｂに向かって順に設けられた入力位置のそれぞれでは、薬指、中指及び人差し指からのデータ入力がなされる。
【００１６】
軸部２の他端２ｂ側の周壁部には、各色に対応する３個の操作子４が、軸部２の軸方向に沿って筆記具３の先端を出没させるために摺動可能に取り付けられている。
【００１７】
図２に示すように、軸部２の他端２ｂ側には、クリップ部７が取り付けられ、図示しないポケットやノートに差し込み保持が容易にされている。
【００１８】
図１及び図２に示すように、筆記具３は例えば赤、青及び黒の３色に対応した３本からなり、使用時及び不使用時に対応して軸部２に出没可能に設けられている。図１では、例えば使用時の黒に対応した１本の筆記具３だけが軸部２の一端２ａから突出しており、不使用時の赤及び青に対応した他の筆記具３は軸部２の内部に収納されている。勿論、一種類の筆記具３の場合は突出状態のままでよい。
【００１９】
３個の操作子４の各々と、３本の筆記具３の各々とは、周知の機構によって連動可能とされている。すなわち、３個の操作子４のいずれかが軸方向に沿って操作されるときに、他の筆記具３はそのままで、対応する筆記具３が軸方向に沿って移動し、軸部２の一端２ａから突出するようになっている。
【００２０】
図３は、スティック型入力装置１とタブレット型ＰＣ１００とを接続した状態を示す斜視図であり、スティック型入力装置１はＵＳＢ（Universal Serial Bus）ケーブルなどの信号ライン５０を介してタブレット型ＰＣ１００に接続されている。なお、スティック型入力装置１とタブレット型ＰＣ１００との間のデータ通信は、有線形式に限られるものではなく、無線形式であってもよい。
【００２１】
[タブレット型ＰＣ１００の構成について]
このタブレット型ＰＣ１００は、矩形平板状を呈した本体部１０１を有している。本体部１０１の表面側には、ほぼ全域を占める情報を表示する表示部１０２が設けられている。
【００２２】
本体部１０１の表面側には、表示部１０２の側方に親指用の入力部１０３が設けられている。本体部１０１の裏面側には、親指を除く４本の指（人差し指、中指、薬指、小指）用の入力部１０４が設けられている。入力部１０４は、これら４本の指が届く領域に形成され、そこには、各指に対応した図示省略の入力キーが設けられている。入力部１０３、１０４の入力キーは公知のメンブレンスイッチや、抵抗膜式又は静電容量式タッチパネル等を用いて構成され、各指の接触を受けて入力を受ける。
【００２３】
[入力部２０の構成について]
図４は、入力部２０の構成を示すブロック図である。入力部２０は、入力キー２１と、入力キー２１に接触する位置や強さを受けて制御するコントローラ部２２とを備えている。
【００２４】
[入力キー２１の構成について]
入力キー２１は、メンブレンスイッチ、圧電素子又は抵抗線歪素子である。
【００２５】
入力キー２１は、例えば、スペーサー（不図示）を挟んで貼り合わせた上部接点シート（不図示）及び下部接点シート（不図示）と呼ばれる一対のポリエステルフィルムを用いたメンブレンスイッチで構成される。入力キー２１では、スペーサーによって上部接点シート及び下部接点シートが絶縁されており、上部接点シートが押下されると下部接点シートと電気的に導通するスイッチ形態を有する。
【００２６】
コントローラ部２２は、ＣＰＵ（Central Processing Unit）等の制御部、ＲＡＭ（Random Access Memory）やＲＯＭ（Read Only Memory）等の記憶部、ＵＳＢ又はＬＡＮ（Local Area Network）等のインターフェース部、バスコントローラ等及び各種Ｉ／Ｏ等を備えている。このコントローラ部２２は、入力キー２１に接触する指の位置や強さを受けて、入力モードと筆記モードとのモード切換、データ入力の許容を制御する。
【００２７】
[スティック型入力装置１の動作モードについて]
図５は、ユーザーの右手により軸部２の一端近傍２ｃ位置が指で握られた筆記モードの状態を示す斜視図である。本実施形態において、軸部２の一端近傍２ｃ位置とは、例えば、軸部２のうち、軸部２の一端２ａから軸方向に沿って２〜３ｃｍの位置近傍をいう。図６は、ユーザーの右手により軸部２の中間位置が掌の指の付根付近で握られた入力モードの状態を示す斜視図である。
【００２８】
ユーザーが軸部２を把持し、図５及び図６のように、ユーザーの右手指が入力キー２１に接触した場合、その位置及び接触圧の強さにより、単に持っただけか、筆記モードか、入力モードかを判別される。例えば、図６に示すように、親指、人差し指、中指、薬指、小指により軸部２が把持され、各指が入力キー２１に接触した場合、各接触は入力キー２１により検出される。具体的には、親指、人差し指、中指、薬指、小指の夫々が接触する入力キー２１に対応する接点シート間の電流値の変化が検出される。なお、図６では、入力キー２１は人差し指、中指、薬指、小指で隠れており、図示されていないが、親指対応の入力キー２１のみが軸部２の他端２ｂに設けられている。
【００２９】
コントローラ部２２は、電流値の変化を検出することで、指の接触によって与えられる圧力が所定閾値以上であるか否かを判断する。コントローラ部２２は、当該圧力が所定閾値以上であるとき、指の接触を受けてデータ入力を許容する。この所定閾値は、入力キー２１毎にそれぞれ定められるか、指全体について一定値に予め定められている。
【００３０】
コントローラ部２２は、各入力キー２１を通じて許容されたデータ入力信号をタブレット型ＰＣ１００に送信する。
【００３１】
本実施形態のコントローラ部２２は、軸部２が把持される位置に応じて、スティック型入力装置１の動作モードを筆記モード及び入力モードの何れかに設定する。
【００３２】
[筆記モードについて]
筆記モードとは、図５に示すように、親指、人差し指、中指により軸部２の一端近傍２ｃが把持されることにより、予め突出されているか、突出させた筆記具３でメモを取る等の筆記操作をすることのできるモードである。
【００３３】
コントローラ部２２は、軸部２の一端近傍２ｃ位置で指の把持を入力部２０が検知した場合には、動作モードを筆記モードに設定する。これにより、スティック型入力装置１は筆記モードとして機能する。
【００３４】
[入力モードについて]
入力モードとは、図６に示すように、人差し指、中指、薬指、小指により軸部２の中間位置が把持されることにより、ユーザーが入力部２０に対して文字等の入力操作を行うことができるモードである。
【００３５】
コントローラ部２２は、軸部２の中間位置で指の把持を入力部２０が検知した場合には、動作モードを入力モードに設定する。これにより、スティック型入力装置１は入力モードとして機能する。
【００３６】
入力モードでは、入力用の５個の入力キー２１のうち、例えば、人差し指と薬指とで同時に２個の入力キー２１を押すといった組み合わせにより、日本語５０音の入力を可能としている。５個の入力キー２１による入力操作では２の５乗すなわち３２通りの組み合わせで文字を入力することが可能となっている。
【００３７】
３２通りの組み合わせには、５個の入力キー２１を全部押さないという組み合わせも含まれるため、３２から１つ引いた３１通りの組み合わせで文字が入力される。ただし、３１通りの組み合わせでは、日本語５０音を入力するのに十分ではない。そこで、本実施形態では、日本語５０音を入力するのに十分な組み合わせを確保するため、入力キー２１に対する２回の入力操作で１文字が入力されるようにしている。なお以下では、２回の入力操作による１文字の入力モードをツーステップと呼ぶことがある。具体的には、１回目の入力操作により子音が入力され、２回目の入力操作により母音が入力される。これにより、３１の２乗即ち９６１通りの組み合わせによる文字の入力が可能となっている。
【００３８】
具体的に、本実施形態のスティック型入力装置１では、５個の入力キー２１を押す組み合わせのうち、１個の入力キーのみを押す組み合わせがちょうど５通りあるので、５個の入力キー２１に母音が割り当てられている。
【００３９】
図７は母音を各入力キーに割り当てた例を示す図である。図７では、親指が接触する入力キー２１Ａに「う段」が、人差し指が接触する入力キー２１Ｂに「あ段」が、中指が接触する入力キー２１Ｃに「え段」が、薬指が接触する入力キー２１Ｄに「い段」が、小指が接触する入力キー２１Ｅに「お段」が夫々割り当てられている。
【００４０】
入力キー２１Ａ〜２１Ｅに対する入力は、スティック型入力装置１の軸部２を把持している片手による操作であるために、複数の入力キー２１Ａ〜２１Ｅを配置すると、一方の入力キーを入力操作する指（例えば小指）の動きにつられて、他の指（例えば薬指）が動いて他方の入力キーに対しても入力操作されて、誤入力が生じることが想定される。そこで、このような誤入力を防止するために、他の指（例えば薬指）の接触を検知するための閾値を上げる補正をかけることにより、指（例えば小指）の動きにつられた他の指（例えば薬指）の入力を受け付けないようにしてもよい。このような誤入力を防止するための補正処理は、小指と薬指の組み合わせによるつられ押しを防止する場合のみならず、人差し指と中指の組み合わせによるつられ押しや、中指と薬指の組み合わせによるにつられ押しを防止する場合にも有効である。
【００４１】
なお、「あ段」については、１回の入力操作のみで入力できるようにすると、上述したような２回の入力操作で１文字を入力するという約束に反する。そこで、本実施形態では、「あ段」にも子音があると考える。すると、子音は「あ、か、さ、た、な、は、ま、や、ら、わ、が、ざ、だ、ば、ぱ」の１５個になる。
【００４２】
図８は子音を各入力キーに割り当てた例を示す図である。図８上段に示すように、「わ行」には、例えば、親指が接触する入力キー２１Ａが割り当てられている。また、図８中段に示すように、「た行」には、例えば、親指が接触する入力キー２１Ａと、人差し指が接触する入力キー２１Ｂとからなる組み合わせが割り当てられている。更に、図８下段に示すように、「だ行」には、例えば、親指が接触する入力キー２１Ａと、中指が接触する入力キー２１Ｃとからなる組み合わせが割り当てられている。
【００４３】
なお、日本語５０音においては、わ行う段（ローマ字表記「ｗｕ」）、や行い段（ローマ字表記「yｉ」）が空位となっている。そこで、本実施形態では、ローマ字表記「ｗｕ」に、「ｕｕ」を発音する際の口の形から連想できる「。」を割り当て、ローマ字表記「yｉ」に、「ｉｉ」を発音する際の口の形から連想できる「、」を割り当てている。
【００４４】
図９は「。」及び「、」の入力操作を説明する図である。図９の上段左側では、親指、人差し指、中指、薬指、小指が夫々接触する入力キー２１Ａ〜２１Ｅを「○」で示している。図９の上段右側では、各指により入力キーが押された状態を「●」で示し、押されていない状態を「○」で示している。
【００４５】
図９の中段左側及び下段左側は、入力キー２１に対する２回の入力操作で「。」（「ｗｕ」）を入力する例を示している。この例では、図９の中段左側に示すように、入力キー２１に対する１回目の入力操作で親指により入力キー２１Ａが押されることにより、「ｗ」が入力される。続いて、図９の下段左側に示すように、入力キー２１に対する２回目の入力操作で親指により入力キー２１Ａが押されることにより「ｕ」が入力される。これにより、「。」の入力が完了する。
【００４６】
同様に、図９の中段右側及び下段右側は、２回の入力操作で「、」（「yｉ」）を入力する例を示している。この例では、図９の中段右側に示すように、１回目の入力操作で薬指により入力キー２１Ｄが押されることにより、「y」が入力される。続いて、図９の下段右側に示すように、２回目の入力操作で薬指により入力キー２１Ｄが押されることにより「ｕ」が入力される。これにより、「、」の入力が完了する。
【００４７】
[スティック型入力装置１及びタブレット型ＰＣ１００の双方を用いた文字入力]
なお以上では、スティック型入力装置１の入力キー２１に対する２回の入力操作で１文字を入力する例について述べたが、スティック型入力装置１及びタブレット型ＰＣ１００の双方を用いて文字を入力することも可能である。ここでは、スティック型入力装置１に対する入力操作と、タブレット型ＰＣ１００に対する入力操作が同時に行われるので、ワンステップによる文字入力が可能になる。なお、ワンステップとは、１回の入力操作による１文字の入力モードを意味する。勿論、ワンステップによる文字入力は、スティック型入力装置１に対する入力操作と、当該スティック型入力装置１とは異なる別のスティック型入力装置に対する入力操作を同時に行うことによっても実現できる。
【００４８】
図１０は、左手指によりタブレット型ＰＣ１００に対して入力操作を行う例を示す表面図である。図１１は、左手指によりタブレット型ＰＣ１００に対して入力操作を行う例を示す裏面図である。
【００４９】
この例では、タブレット型ＰＣ１００の入力部１０３、１０４の入力キーに対する入力操作により子音が入力される。なお、図１０に示すように、入力部１０３の入力キー１０３Ａには親指が接触する。また、図１１に示すように、入力部１０４の入力キー１０４Ａには人差し指が、入力キー１０４Ｂには中指が、入力キー１０４Ｃには薬指が、入力キー１０４Ｄには小指が、夫々接触する。
【００５０】
図１２は、子音を入力キー１０３Ａ及び入力キー１０４Ａ〜１０４Ｄに割り当てた例を示す図である。なお、ここでは図８と同様に「あ段」にも子音があると考える。従って、子音は「あ、か、さ、た、な、は、ま、や、ら、わ、が、ざ、だ、ば、ぱ」の１５個である。図１２上段に示すように、「わ行」には、例えば、親指が接触する入力キー１０３Ａが割り当てられている。また、図１２中段に示すように、「た行」には、例えば、親指が接触する入力キー１０３Ａと、人差し指が接触する入力キー１０４Ａとからなる組み合わせが割り当てられている。更に、図１２下段に示すように、「だ行」には、例えば、親指が接触する入力キー１０３Ａと、中指が接触する入力キー１０４Ｂとからなる組み合わせが割り当てられる。
【００５１】
[効果]
次に、本実施形態に係るスティック型入力装置１の効果について説明する。
【００５２】
以上、本実施形態に係るスティック型入力装置１によれば、軸部２に入力部２０を有し、軸部２の一端２ａには筆記具３が設けられるので、キーボード等の入力装置としての機能と、筆記具としての機能とを組み合わせることができる。これにより、スティック型入力装置１のユーザーはキーボード等の入力操作をしている間に、別の筆記具に持ち替えることなくタブレット操作やメモ等の操作することができる。即ち、筆記モードと入力モードを瞬時に切換えることができる。
【００５３】
また、具体的に、スティック型入力装置１は、軸部２が把持される位置に応じて、スティック型入力装置１の動作モードを筆記モード及び入力モードの何れかに設定することができる。すなわち、入力部２０が入力を受け付けた位置が軸部２の一端近傍２ｃ位置の入力キー２１に集中している場合、スティック型入力装置１は、ユーザーが筆記具３として握っていると認識し筆記具モードで機能することができる。一方、入力部２０が入力を受け付けた位置が軸部２の中間位置の入力キー２１に集中している場合には、スティック型入力装置１は、ユーザーが入力操作のため握っていると認識し入力モードで機能することができる。
【００５４】
また、スティック型入力装置１では、入力部２０が、指の接触によって与えられる圧力を検出する入力キー２１と、当該圧力が所定閾値以上であるとき、単に持っているのではなく入力意思を示すものと指の接触を検知するコントローラ部２２とを備えている。したがって、このような構成を有する領域であれば、ユーザーの手の大きさや操作のくせなどの使用状況に依らず、どこにでも入力部２０を構成することができる。したがって、ユーザーは使用状況によらず安定した入力操作を行うことができる。
【００５５】
また、スティック型入力装置１では、所定閾値が複数の指毎それぞれ別個に定められるので、親指、人差し指、中指、薬指、小指といった指の種類や位置、指の大きさや操作のくせに合わせて柔軟に所定閾値の大きさを調整することができる。勿論、複数の指全体について予め一定に定めることもできる。
【００５６】
また、スティック型入力装置１が軸部２の他端２ｂ側にクリップ部７を備えるので、スティック型入力装置１の携帯性を向上させることができる。
【００５７】
以上、本発明の実施形態について図面に基づいて説明したが、具体的な構成は、これらの実施形態に限定されるものではないことは言うまでもない。本発明の範囲は、上記した実施形態の説明ではなく特許請求の範囲によって示される。さらに発明の趣旨を逸脱しない限り、特許請求の範囲の発明の構成の変更も含まれる。
【符号の説明】
【００５８】
１  スティック型入力装置
２  軸部
２ａ  一端
２ｂ  他端
２ｃ  一端近傍
２ｄ  中間
３  筆記具
７      クリップ部
２０  入力部
２１  入力キー
【図１】
2017151615.tif 000003
【図２】
2017151615.tif 000004
【図３】
2017151615.tif 000005
【図４】
2017151615.tif 000006
【図５】
2017151615.tif 000007
【図６】
2017151615.tif 000008
【図７】
2017151615.tif 000009
【図８】
2017151615.tif 000010
【図９】
2017151615.tif 000011
【図１０】
2017151615.tif 000012
【図１１】
2017151615.tif 000013
【図１２】
2017151615.tif 000014